(57)【要約】      （修正有）【課題】漏液の防止の確実性を確保した上で、容易な構造によって漏液防止および転倒防止を行う。【解決手段】カバー部１は、漏れたオイルを受容するとともに、タンク本体２を保持する保持具Ｂが着脱可能に設置される槽体状の受容部３と、受容部３の開放部３Ａに被せて当該受容部３とで閉鎖された空間Ｓを形成する閉鎖部４と、転倒防止用の支持部Ｃとから構成されている。タンク本体２は、周知のホームタンクと呼ばれるものであるので詳細な説明は省略するが、上面に給油口２１およびオーバーフロー２２さらに通気管２３を、下面に取出し口２４をそれぞれ備えているものである。受容部３は、金属材または硬質の合成樹脂材等の硬質の不透明材を用いて槽状体形成されたものであり、側壁には、受容部３に溜まったオイル量を表示するゲージ３１と、溜まったオイルを抜き取るためのドレン３２が備えられている。【選択図】図１
0003104789.tif 000002
【実用新案登録請求の範囲】
【請求項１】
すくなくとも、オイルが外部に漏れ出さないように閉鎖された空間内にタンク本体が内蔵されるとともに、空間の外側に転倒防止用の支持部が設けられていることを特徴とするオイルタンク。
【請求項２】
前記空間は、タンク本体からのオイルを受容するとともに、タンク本体が載置される受容部と、当該受容部を閉鎖する閉鎖部からなるカバー部により構成され、前記受容部の外側底部に地面に載置される支持部が設けられていることを特徴とする請求項１に記載のオイルタンク。
【請求項３】
前記支持部は、受容部の外側に突出させた複数の支持杆を備え、当該支持杆は地面に固定可能なものであることを特徴とする請求項１または請求項２に記載のオイルタンク。
【請求項４】
受容部と閉鎖部が分離可能であることを特徴とする請求項２または請求項３に記載のオイルタンク。
【請求項５】
前記閉鎖部には、タンク本体における給油口および取出し口に対応する部位に、開閉可能な開閉扉が設けられていることを特徴とする請求項２ないし請求項４いずれか１項に記載のオイルタンク。
【請求項６】
前記カバー部におけるすくなくとも閉鎖部または／および閉鎖部における開閉扉が透明であることを特徴とする請求項２ないし請求項５にいずれか１項に記載のオイルタンク。
【請求項７】
前記タンク本体は、前記受容部に着脱可能に設置される保持具によって保持されていることを特徴とする請求項２ないし請求項６いずれか１項に記載のオイルタンク。
【請求項８】
前記カバー部に、吊り下げ用のフック部を備えていることを特徴とする請求項２ないし請求項７いずれか１項に記載のオイルタンク。
【考案の詳細な説明】
【技術分野】
【０００１】
本考案は、灯油、軽油、各種オイル類等を貯蔵するのに用いられるオイルタンクに関する。
【背景技術】
【０００２】
漏液防止構造を備えたオイルタンクとして、本願出願人が実用新案登録出願したものが有る。
このオイルタンクは、オイルタンクの給油口に取り付けられる給油口用受け皿と、当該受け皿と外部を連通するパイプとからなる油受けと、オイルタンクの取出し口に取り付けられる取出し口用受け皿と、当該受け皿と外部を連通するパイプとからなる油受けとを備えてなるものであり、当該油受けが給油口および取出し口から漏れる油を受けることによって漏液を防止するようにしたものである。
（特許文献１参照）
【特許文献１】実用新案登録第3098946号（〔００１２〕、〔００１７〕、図１）
【考案の開示】
【考案が解決しようとする課題】
【０００３】
本願出願人は、漏液の防止の確実性を確保した上で、容易な構造によって漏液防止および転倒防止のために、鋭意研究の結果本願考案に至った。
【０００４】
そこで本考案は、漏液の防止の確実性を確保した上で、容易な構造によって漏液防止および転倒防止を行うことを課題とし、この課題を解決するオイルタンクの提供を目的とする。
【課題を解決するための手段】
【０００５】
本考案は、上記目的を達成するために下記の技術的手段を採用した。
その技術的手段は、すくなくとも、オイルが外部に漏れ出さないように閉鎖された空間内にタンク本体が内蔵されるとともに、空間の外側に転倒防止用の支持部を設けたものである。（請求項１）
【０００６】
前記オイルタンクを構成する具体的な手段として、前記空間を、タンク本体からのオイルを受容するとともに、タンク本体が載置される受容部と、当該受容部を閉鎖する閉鎖部からなるカバー部により構成し、前記受容部の外側底部に地面に載置される支持部を設けることが例示できる。（請求項２）
前記支持部を構成する具体的な手段として、受容部の外側に突出させた複数の支持杆を備え、当該支持杆は地面に固定可能なものとすることが例示できる。（請求項３）
【０００７】
タンク本体および受容部の清掃やメンテナンス、さらには給油等の作業上、前記受容部と閉鎖部とは、分離可能とすることが好ましい。（請求項４）
また、前記閉鎖部には、タンク本体における給油口および取出し口に対応する部位に、開閉可能な開閉扉を設けることが好ましい。（請求項５）
また、前記カバー部におけるすくなくとも閉鎖部または／および閉鎖部における開閉扉を透明とすることが好ましい。（請求項６）
【０００８】
オイルタンクの運搬や設置の関係から、前記タンク本体を、前記受容部に着脱可能に設置される保持具によって保持することが好ましい。（請求項７）
また、前記カバー部に、吊り下げ用のフック部を備えることが好ましい。（請求項８）
【考案の効果】
【０００９】
請求項１の考案によれば、閉鎖された空間内にタンク本体が内蔵されているので、仮に、給油口や取出し口からオイルが漏れ出しても、そのオイルは閉鎖された空間内に受容されるので、オイルの外部への流出を防止することができるとともに、周辺へのオイル臭防止にも大きな効果を有する。
そして、雨水や雪解け水等の水分、あるいは、チリや埃等の細かいゴミの浸入が抑制されることによって、空間内部を汚れ難くすることでできるとともに、タンク本体の錆や腐食を発生し難くすることができる。
さらに、清掃時において、タンク本体内に残留しているオイルを抜き取ったり、タンク本体内に噴出した洗浄液を抜き取ったりする際には、そのまま、空間内に流し出せばよいので、清掃時においてオイルや洗浄液を受容する容器を用意する必要がない。
その上、転倒防止用の支持部によって支持されているので、たとえば地震によるゆれに対しても転倒し難いオイルタンクを提供することができる。
【００１０】
また、請求項２の考案によれば、前記空間および転倒防止用の支持部を備えたオイルタンクを具体的に構成することができる。
また、請求項３の考案によれば、前記支持部を具体的に構成することができる。
また、請求項４の考案によれば、前記閉鎖部を受容部から分離することによって、受容部およびタンク本体が露出するので、タンク本体および受容部の確認や清掃およびメンテナンス、または給油等の作業を容易に行うことができる。
また、請求項５の考案によれば、開閉扉を開けることによって、前記閉鎖部に設けられた開閉扉からオイル給油作業やオイル取出し作業、あるいは、空間内部の汚れの確認、タンク本体における給油口および取出し口からのオイル漏れの確認や清掃およびメンテナンス等の様々な作業を行うことができ、しかも開閉扉を閉めることによって、閉鎖された空間を保持することができる。
また、請求項６の考案によれば、タンク本体および受容部の確認を、閉鎖部を分離したり開閉扉を開けたりすること無く行うことができる。
【００１１】
さらに、請求項７の考案によれば、前記タンク本体が、前記受容部に着脱可能に設置される保持具によって保持されるので、オイルタンクを分解すること無く運搬や設置をすることができる。
また、請求項８の考案によれば、吊り下げ用のフック部を備えているので、クレーンやホイスト等の吊り下げ装置を用いることによって、運搬作業や設置作業を迅速に行うことができるとともに、高所への設置も迅速に行うことができる。
【考案を実施するための最良の形態】
【００１２】
以下、本考案の実施例を図面に基づいて説明する。
図１は、本考案のオイルタンクＡを示し、図中、符号１はカバー部、符号２はタンク本体である。
【００１３】
カバー部１は、漏れたオイルを受容するとともに、タンク本体２を保持する保持具Ｂが着脱可能に設置される槽体状の受容部３と、受容部３の開放部３Ａに被せて当該受容部３とで閉鎖された空間Ｓを形成する閉鎖部４と、転倒防止用の支持部Ｃとから構成されている。
タンク本体２は、周知のホームタンクと呼ばれるものであるので詳細な説明は省略するが、上面に給油口２１およびオーバーフロー２２さらに通気管２３を、下面に取出し口２４をそれぞれ備えているものである。
受容部３は、金属材または硬質の合成樹脂材等の硬質の不透明材を用いて槽状体形成されたものであり、側壁には、受容部３に溜まったオイル量を表示するゲージ３１と、溜まったオイルを抜き取るためのドレン３２が備えられている。
また、受容部３の体積は、タンク本体２の体積よりも大きいものであり、これによって、タンク本体２がオイル満タン状態においてオイル漏れを起こした場合でも、すべてのオイルをオーバーフローさせること無く受容することができる。
また、符号３３は、前記保持具Ｂの設置用の設置面部であり、受容部３の上端縁３４の内周全域に亘ってアングルをボルト・ナットＢ１で固定して構成されている。
【００１４】
閉鎖部４は、不透明材からなる箱体状のものであり、前記受容部３に被せることによって、閉鎖された空間Ｓを形成するようにされている。
また、閉鎖部４の正面の側壁４１には、タンク本体２の給油口２１用の開閉扉４２および取出し口２４用の開閉扉４３が開閉可能に備えられている。
開閉扉４２は、給油口２１およびオーバーフロー２２さらに通気管２３に対応する部位に上開き可能に支持され（図３参照）、開閉扉４３は、取出し口２４に対応する部位に横開き可能に支持されている（図１参照）。
符号４Ａは、通気孔である。
【００１５】
開閉扉４２は、前記側壁４１に開口された作業口４２Ａと、当該作業口４２Ａの上縁に軸支された蓋部４２Ｂとで構成されている。
作業口４２Ａは、給油口２１およびオーバーフロー２２さらに通気管２３が露出し、かつ各種作業が行える程度の大きさに開口されている。
蓋部４２Ｂは、前記作業口４２Ａを全閉可能な硬質材からなり、オーバーフロー２２に対応する部位に設けられた覗き窓４２Ｃと、開閉用把手４２Ｄと、通気孔４２Ｅと、全開時において蓋部４２Ｂを支持する支持杆４２Ｆを備えている。
前記構成によって、覗き窓４２Ｃから空間Ｓ内を確認し、状況によって蓋部４２Ｂを開いて作業口４２Ａから各種作業を行える。
【００１６】
開閉扉４３は、前記側壁４１に開口された作業口４３Ａと、当該作業口４３Ａの左側縁に軸支された蓋部４３Ｂとで構成されている。
作業口４３Ａは、取出し口２４が露出し、かつ各種作業が行える程度の大きさに開口されている。
蓋部４３Ｂは、前記作業口４３Ａを全閉可能な硬質材からなり、開閉用把手４３Ｃと通気孔４３Ｄを備えている。
前記構成によって、状況によって蓋部４３Ｂを開いて作業口４３Ａから各種作業を行える上に、空間内部の換気が通気孔４３Ｄによって行われる。
【００１７】
このようにした閉鎖部４は、当該閉鎖部４を後述する嵌合部面Ｂ２２に固定しているボルト・ナットＢ１及びフック部６を外すことによって、受容部３から取り外すことができる。（図４参照）
【００１８】
支持部Ｃは、前記受容部３の外側底部３５に固定された略角柱状の２本の支持杆Ｃ１から構成されている。
各支持杆Ｃ１は、長手側を受容部３の短手側縁部に沿って固定されている。
また、各支持杆Ｃ１は、受容部３の前後の両長手側縁部から外側に、受容部３の短手側長さのおよそ半分程度突出させている。
さらに、各支持杆Ｃ１には、地面への設置時において使用される埋め込みボルトＣ２が貫通する貫通孔Ｃ３が開孔され、当該貫通孔Ｃ３に埋め込みボルトＣ２を貫通させて、突出した埋め込みボルトにナットＣ４ねじ込むことによって固定するようにしている。
なお、前記支持杆の突出量は、例示した長さに限定するものではない。
【００１９】
このようにした支持部Ｃによれば、オイルタンクＡを地面に設置した際には、各支持杆Ｃ１がオイルタンクＡを支え、当該支持杆Ｃ１が、貫通孔Ｃ３を貫通する埋め込みボルトＣ２と、当該埋め込みボルトＣ２にねじ込まれるナットＣ４とで地面に固定されることによって、オイルタンクＡの転倒防止構造が構成される。
【００２０】
保持具Ｂは、前記設置面部３３に載置されるとともに、ボルト・ナットＢ１で固定される接地部Ｂ２と、タンク本体２を保持する保持杆Ｂ３とからなる。
接地部Ｂ２は、アングルを前記設置面部３３に正対して載置可能な形状に組立ててなり、設置面部３３側の面を固定面Ｂ２１とし、立ち上がり側の面を前記閉鎖部４が嵌合する嵌合面Ｂ２２としている。
前記固定面Ｂ２１は、設置面部３３に対して前記ボルト・ナットＢ１で固定し、嵌合面Ｂ２２には、当該嵌合面Ｂ２２に嵌合される閉鎖部４がボルト・ナットＢ１で固定される。
保持杆Ｂ３は、図面上左右の固定面Ｂ２１上に固着して立設されており、保持杆Ｂ３の一方面をタンク本体２の保持面Ｂ３１とし、当該保持面Ｂ３１が前記タンク本体２におけるフランジ面２５に重合してボルト・ナットＢ１で連結することによって、タンク本体２を保持している。
前記構成によって、閉鎖された空間Ｓを有するとともに、タンク本体２を着脱可能に内蔵したオイルタンクＡが構成される。
【００２１】
符号５は、オイルタンクＡを吊り下げるためのフック部であり、フック部５は、閉鎖部４の上面左右両端に設けられている。
フック部５は、先端側に引っ掛け孔５１を有する板状のものであり、前記保持杆Ｂ３の先端を延長して形成され、閉鎖部４に開口された隙間Ｓ１から閉鎖部４の外側に突出させてある。
前記構成によって、クレーン等のワイヤーをフック部５引っ掛けて運搬作業や設置作業を行うことができる。
なお、フック部の位置は、例示した部位に限定するものではなく、クレーン等のワイヤーを引っ掛けて運搬作業や設置作業を行える部位であればよい。
また、符号６は、オイルタンクＡの吊り下げおよび運搬時の転倒防止のためのロープやチェーンを引っ掛けるフック部である。
このフック部６は、先端に引っ掛け環６１を備えたＩボルト状のものであり、閉鎖部４の側部外側から前記保持杆Ｂ３に貫通ねじ込みして固定される。
【００２２】
なお、本考案は例示した実施例に限定されるものではなく、実用新案登録請求の範囲された内容から逸脱しない範囲で他の構成による実施が可能である。
【図面の簡単な説明】
【００２３】
【図１】本考案にかかるオイルタンクを示す。
【図２】図１の側面図。
【図３】図１の平面図。
【図４】オイルタンクの分解図。
【符号の説明】
【００２４】
Ａ：オイルタンク
Ｂ：保持具
Ｃ：支持部
Ｃ１：支持杆
Ｃ３：貫通孔
Ｓ：空間
１：カバー部
２：タンク本体
３：受容部３
３Ａ：開放部
４：閉鎖部
４２：開閉扉
４３：開閉扉
５：フック部
６：フック部
【図１】
0003104789.tif 000003
【図２】
0003104789.tif 000004
【図３】
0003104789.tif 000005
【図４】
0003104789.tif 000006